(57)【要約】【課題】  責任者別の販売データ管理を行わない店舗等においても、責任者別販売データ記憶領域を有効利用することができるようにすること。【解決手段】  商品販売データ処理における商品の販売データを責任者別に記憶する責任者別販売データ記憶領域Ｆ３を備え、この責任者別販売データ記憶領域Ｆ３を用いて販売データを管理する管理対象として、責任者と曜日とのどちらか一方を設定可能とし、管理対象として責任者が設定されている場合、責任者登録された責任者コードに対応させて販売データを責任者別販売データ記憶領域Ｆ３に記憶させ、管理対象として曜日が設定されている場合、責任者コードに曜日を割り当てて責任者別販売データ記憶領域Ｆ３に曜日別に販売データを記憶させるようにした。【選択図】    図４
2006031514.tif 000002
【特許請求の範囲】
【請求項１】
商品販売データ処理を実行する商品販売データ処理装置において、
商品販売データ処理における商品の販売データを責任者コード別に累積記憶する責任者別販売データ記憶領域と、
曜日を管理する曜日管理手段と、
入力装置を介して入力された責任者コードに基づいて責任者登録をする手段と、
前記責任者別販売データ記憶領域を用いて販売データを管理する管理対象として、責任者と曜日とのどちらか一方を設定する手段と、
前記管理対象として責任者が設定されている場合、責任者登録された責任者コードに対応させて前記販売データを前記責任者別販売データ記憶領域に記憶させる手段と、
前記管理対象として曜日が設定されている場合、責任者コードに曜日を割り当てて、前記責任者別販売データ記憶領域に曜日別に販売データを記憶させる手段と、
を備えていることを特徴とする商品販売データ処理装置。
【請求項２】
前記責任者別販売データ記憶領域に記憶されている販売データを可視化して出力する手段を備えていることを特徴とする商品販売データ処理装置。
【請求項３】
販売データを管理する曜日を選択的に設定する手段を備えていることを特徴とする請求項１又は２記載の商品販売データ処理装置。
【請求項４】
商品販売データ処理を実行するコンピュータに読み取り可能なプログラムであって、
入力装置を介して入力された責任者コードに基づいて責任者登録をする機能と、
商品販売データ処理における商品の販売データを責任者コード別に累積記憶する責任者別販売データ記憶領域を用いて販売データを管理する管理対象として、責任者と曜日とのどちらか一方を設定する機能と、
前記管理対象として責任者が設定されている場合、責任者登録された責任者コードに対応させて前記販売データを前記責任者別販売データ記憶領域に記憶させる機能と、
前記管理対象として曜日が設定されている場合、責任者コードに曜日を割り当てて、前記責任者別販売データ記憶領域に曜日別に販売データを記憶させる機能と、
を前記コンピュータに実行させることを特徴とするプログラム。
【請求項５】
請求項４記載のプログラムを記憶していることを特徴とするコンピュータに読み取り可能な記憶媒体。
【発明の詳細な説明】
【技術分野】
【０００１】
本発明は、商品販売データ処理装置、プログラム及び記憶媒体に関する。
【背景技術】
【０００２】
従来、店舗に設置されるＥＣＲ（Electronic Cash Register：電子式キャッシュレジスタ）やＰＯＳ（Point Of Sales：販売時点管理）端末などの商品販売データ処理装置では、キャッシャの操作に基づいて商品の売上登録処理を含む商品販売データ処理を実行する。
【０００３】
一般的に、コンビニエントストアやスーパーマーケットなどの店舗では、複数の責任者（キャッシャ）が交代で商品販売データ処理装置を使用する。このような店舗では、各責任者毎に、例えば毎日の売上金額を管理する。よって、商品販売データ処理装置には、販売した各商品の販売データを例えば部門コード別に登録する販売登録ファイルの他に、各責任者毎の売上金額などの販売データを累積記憶する責任者別販売データ記憶領域としての責任者別販売データファイルが設けられている（例えば、特許文献１参照）。そして、この商品販売データ処理装置では、各責任者が販売業務を開始する前に、キー操作により自己の責任者コードを入力してサインオン操作を実行することにより、責任者登録（サインオン）がなされる。その後、通常の販売登録操作を実行すると、入力された販売データは前述した販売登録ファイルに登録されるとともにサインオンをした責任者（責任者コード）に対応する責任者別販売データファイルの記憶領域に累積記憶される。これにより、各責任者（責任者コード）別に売上金額等の販売データを管理することが可能となる。
【０００４】
【特許文献１】特公平６−４２２７３号公報
【発明の開示】
【発明が解決しようとする課題】
【０００５】
ところで、規模の小さな個人店舗などで、例えば、キャッシャが１人であったり、夫婦２人で業務を行っていてキャッシャが身内であったりする場合には、上述したように売上金額をキャッシャ毎に管理する必要がない。このような店舗では、責任者別販売データファイルが使用されずそのメモリ領域が無駄になってしまうという問題がある。
【０００６】
本発明の目的は、責任者別の販売データ管理を行わない店舗等においても、責任者別販売データ記憶領域を有効利用することができるようにすることである。
【課題を解決するための手段】
【０００７】
本発明は、商品販売データ処理における商品の販売データを責任者コード別に累積記憶する責任者別販売データ記憶領域と、曜日を管理する曜日管理手段と、入力装置を介して入力された責任者コードに基づいて責任者登録をする手段と、前記責任者別販売データ記憶領域を用いて販売データを管理する管理対象として、責任者と曜日とのどちらか一方を設定する手段と、前記管理対象として責任者が設定されている場合、責任者登録された責任者コードに対応させて前記販売データを前記責任者別販売データ記憶領域に記憶させる手段と、前記管理対象として曜日が設定されている場合、責任者コードに曜日を割り当てて、前記責任者別販売データ記憶領域に曜日別に販売データを記憶させる手段と、を備えている。
【発明の効果】
【０００８】
本発明によれば、責任者別販売データ記憶領域を有効利用することができる。
【発明を実施するための最良の形態】
【０００９】
発明の一実施の形態を図面に基づいて説明する。本実施の形態は、商品販売データ処理装置としてＥＣＲを適用した一例である。
【００１０】
図１は、ＥＣＲ１を示す外観斜視図である。ＥＣＲ１は、ドロワ２上に載置されており、このドロワ２の開閉を制御する。ＥＣＲ１の本体３の前方右側には、入力装置であるキーボード４が配置され、キーボード４の後方には、図示しない鍵により登録・設定・精算等の動作モードを切替自在に設定するモード切替スイッチ５が配置されている。本体３の後方左側には本体３に内蔵されたプリンタ２５（図２参照）から発行されるレシートなどを排出するレシート発行口６が形成されている。そして、本体３の後方右側にはディスプレイ８が配置され、ディスプレイ８の後方には、客側表示ユニット９が配置されている。さらに、ＥＣＲ１には、商品コード等を光学的に読み取るコードスキャナ１０が接続されている。
【００１１】
図２はＥＣＲ１が備える各部の電気的接続を示すブロック図である。このＥＣＲ１は、マイクロコンピュータ（以下、マイコンという。）１３を内蔵し、このマイコン１３が各部を駆動制御する。マイコン１３は、各部を集中的に制御するＣＰＵ（Central Processing Unit）１４に、アドレスバス、データバス等のバスライン１５を介して、ＲＯＭ（Read Only Memory）１６とＲＡＭ（Random Access Memory）１７と曜日管理手段であるタイマＴとが接続されて構成されている。ＲＯＭ１６は、起動プログラム等の固定的データを予め記憶するメモリであり、ＲＡＭ１７は、売上バッファや印字バッファ等の各種バッファを構成して各種データを書き換え自在に格納するワークエリアとして機能する。タイマＴは、日時を計時し、これに基づいて曜日を管理する。なお、ＲＡＭ１７は、バッテリＢＴによってバックアップされている。
【００１２】
ＲＡＭ１７には、図３に示すような曜日テーブルＴ１が形成されている。この曜日テーブルＴ１は後述するサインオン処理において使用されるものである。曜日テーブルＴ１には、前回曜日エリア３１と、現在日付曜日エリア３２が設けられている。現在日付曜日エリア３２には、タイマＴに基づいた現在の日付と曜日とが記憶される。
【００１３】
さらに、ＣＰＵ１４に接続されたバスライン１５にはＨＤＤ（Hard Disk Drive）等の記憶装置（記憶媒体）１８が接続されており、この記憶装置１８にはマイコン１３を動作させるコンピュータプログラム、商品マスタファイルＦ１、売上ファイルＦ２、責任者別販売データ記憶領域である責任者別販売データファイルＦ３、管理対象設定テーブルＴ２等が格納されている。商品マスタファイルＦ１は、商品の商品コード毎に商品名、単価、部門コード等を対応付けて記憶保持するファイル構造を備える。また、売上ファイルＦ２は、売上明細や売上金額等の商品売上履歴を記憶保持するファイル構造を備える。
【００１４】
責任者別販売データファイルＦ３は、図４に示すように、責任者毎に、責任者コードエリア４１、責任者名エリア４２、サインオンフラグエリア４４、販売データエリア４５が設けられている。責任者コードエリア４１には、責任者コードが記憶されている。責任者名エリア４２には、責任者名が記憶されている。サインオンフラグエリア４４は、サインオンフラグを記憶するエリアであり、サインオンしている責任者には「１」、サインオンしていない責任者には「０」が記憶される。販売データエリア４５は、後述する商品販売データ処理での商品の売上登録に基づく商品販売データを各責任者毎に累積記憶するエリアである。商品販売データとしては、商品の売上金額、商品の売上点数、各責任者が販売業務を行った客数などである。ここで、責任者コードには、後述する処理において、曜日が割り当てられる。責任者別販売データファイルＦ３中に責任者コードに対応させて記載した曜日は、各責任者コードに割り当てられる曜日を説明のために記載したものである。
【００１５】
管理対象設定テーブルＴ２は、図５に示すように、売上金額、売上点数、客数などの販売データの管理を責任者別に管理するか、曜日別に管理するかの販売データの管理対象を選択的に設定するためのものである。管理対象設定テーブルＴ２には、管理対象候補である責任者別管理、曜日別管理（日曜〜土曜）の各々に対応させて対象設定フラグエリア５１が設けられている。この対象設定フラグエリア５１に「１」が記憶されている管理対象候補が販売データの管理対象となる。曜日別管理は、日曜、月曜、火曜、水曜、木曜、金曜、土曜にそれぞれに対象設定フラグエリア５１が設けられている。曜日別を管理対象とする場合には、１又は複数の曜日の対象設定フラグエリア５１に「１」が設定される。
【００１６】
記憶装置１８に格納されたコンピュータプログラムは、ＥＣＲ１の起動時に商品マスタファイルＦ１等とともにＲＡＭ１７に書き込まれ、これによってマイコン１３による各部の駆動制御が可能な状態となる。
【００１７】
次に、マイコン１３によって駆動制御される各部を説明する。
【００１８】
キーボード４は、置数キー，ＰＬＵキー，部門キー，小計キー，預／現計キー，クリ
アキー，エンターキー、リセットキー、移動キー、責任者キー、レポートキー等の各種キーを配設したものである。預／現計キーは、金額や販売数量等を入力するための置数キーや売上処理において現金による締めを宣言するためのキーである。責任者キーは、責任者コードの入力を宣言するキーである。レポートキーは、責任者別や曜日別の販売データレポートの出力指令を入力するキーである。キーボード４は、キーボード入力回路２０を介してバスライン１５に接続され、キーボード入力回路２０の動作によって操作されたキーに応じた信号をマイコン１３に入力する。
【００１９】
モード切替スイッチ５は、モード切替スイッチ入力回路２１を介してバスライン１５に接続され、モード切替スイッチ入力回路２１の動作によって切り換え位置に応じた信号をマイコン１３に入力する。マイコン１３は、モード切替スイッチ５の出力信号に応じて、ＥＣＲ１の動作モードを登録モード、設定モード、精算モード、点検モード等の各業務モードに設定する。
【００２０】
ディスプレイ８は、表示制御回路２２を介してバスライン１５に接続され、マイコン１３からの表示データが表示制御回路２２に入力されると、表示制御回路２２に駆動されて所定事項を表示する。
【００２１】
客側表示ユニット９は、客側表示制御回路２３を介してバスライン１５に接続され、マイコン１３からの客側表示データが客側表示制御回路２３に入力されると、客側表示制御回路２３に駆動されて所定事項を表示する。
【００２２】
コードスキャナ１０は、スキャナ入力回路２４を介してバスライン１５に接続され、スキャナ入力回路２４の動作によって、商品に付されたバーコードなどから読み取った商品コードデータをマイコン１３に送信する。
【００２３】
また、ＥＣＲ１には、プリンタ２５が内蔵されており、マイコン１３によって駆動制御される。このプリンタ２５は、プリンタ制御回路２６を介してバスライン１５に接続され、マイコン１３からの印字データがプリンタ制御回路２６に入力されると、プリンタ制御回路２６に駆動されてレシート用紙やジャーナル用紙などに所定事項を印字する。さらに、このプリンタ２５には、カッタ部（図示せず）が内蔵されている。このカッタ部は、マイコン１３によって駆動制御され、レシート用紙を所定の位置において切断し、レシートとして発行する。これにより、プリンタ２５は、売上処理に伴い、取引単位でレシートを発行するとともに、並行してジャーナル用紙への印字によるジャーナルの発行を行うレシート／ジャーナルプリンタとして機能する。
【００２４】
ＥＣＲ１とは別体で設けられたドロワ２も、マイコン１３によって駆動制御される。このドロワ２は、ドロワ制御回路２７を介してバスライン１５に接続され、マイコン１３からの開放信号に応じてドロワ制御回路２７が駆動されてドロワ２の引出し２ａの開放を行う。
【００２５】
次に、ＣＰＵ１４がコンピュータプログラムに従って実行する各種処理を操作者の操作を含めて説明する。
【００２６】
図６は商品販売データ処理の流れを示すフローチャートである。図６に示すように、本実施形態の商品販売データ処理では、概略的には、商品の売上登録処理、締め処理から構成される売上処理が実行される（ステップＳ１）。そして、販売データ管理処理として、売上処理で登録された商品の販売データが責任者別や曜日別に責任者別販売データファイルＦ３に記憶される（ステップＳ２）。ここで、販売データ管理処理における販売データの管理対象を設定するには、販売データ管理対象設定処理が必要である。また、売上処理を開始するには、サインオンが必要である。よって、売上処理及び販売データ管理処理の詳細を説明する前に、販売データ管理処理、サインオン処理を説明する。
【００２７】
売上処理おける販売データの管理対象を設定する販売データ管理対象設定処理を図７及び図８に基づいて説明する。図７は販売データ管理対象設定処理の流れを示すフローチャート、図８はシステムオプション設定画面Ｇ１を示す正面図である。
【００２８】
販売データ管理対象設定処理は、設定モードにおいて実行される。設定モードでは、図８に示すようなシステムオプション設定画面Ｇ１がディスプレイ８に表示される。システムオプション設定画面Ｇ１には、販売データの管理対象候補である責任者別管理、曜日別管理（日曜〜土曜）に対応したチェックボックス６１、設定キー６２が設けられている。
【００２９】
ＣＰＵ１４は、システムオプション設定画面Ｇ１において販売データの管理対象候補の選択がなされるまで待機する（ステップＳ１１のＮ）。ここで、操作者は、所望の管理対象候補のチェックボックス６１に、キーボード４のキー操作によってチェックを入れて、設定キー６２をキーボード４のキー操作により押す。これにより、管理対象候補が選択される。このとき、選択可能な管理対象候補は、責任者別管理と曜日別管理のどちらか一方である。曜日別管理の場合には、日曜〜土曜の中から１以上を選択可能である。
【００３０】
システムオプション設定画面Ｇ１において管理対象候補の選択がなされた場合には（ステップＳ１１のＹ）、販売データの管理を行う対象を設定する（ステップＳ１２）。具体的には、管理対象設定テーブルＴ２において、システムオプション設定画面Ｇ１で選択された管理対象候補のフラグエリアに「１」を記憶させる。これにより、システムオプション設定画面Ｇ１において選択された管理対象候補が販売データの管理を行う対象に設定される。ここに、責任者別販売データファイルＦ３を用いて販売データを管理する管理対象として、責任者と曜日とのどちらか一方を設定する手段の機能が実行される。また、販売データを管理する曜日を選択的に設定する手段の機能が実行される。
【００３１】
管理対象として曜日が設定された場合には（ステップＳ１３のＹ）、責任者コードに曜日を割り当てる（ステップＳ１４）。曜日の割り当ては、図４に示すように、例えば、責任者コード「００１」〜「００７」に対し日曜〜土曜を割り当てる。このとき、管理曜日が全ての曜日ではなく特定の曜日だけの場合には、その曜日だけを責任者コードに割り当てる。ここに、管理対象として曜日が設定されている場合、責任者コードに曜日を割り当てて、責任者別販売データ記憶領域に曜日別に販売データを記憶させる手段の機能の一部が実行される。
【００３２】
次に、サインオン処理を説明する。まず、販売データの管理を責任者別に行う設定となっている場合のサインオン処理を図９に基づいて説明する。図９は責任者別管理の場合のサインオン処理の流れを示すフローチャートである。
【００３３】
責任者（キャッシャ）は、商品販売データ処理業務を行う場合には、キーボード４により自己の責任者コードを入力して責任者キーを押下する。これにより責任者コードが入力される。このような操作により責任者コードが入力された場合には（ステップＳ２１のＹ）、入力された責任者コードが責任者別販売データファイルＦ３に存在するか否かを検索する（ステップＳ２２）。
【００３４】
当該責任者コードが責任者別販売データファイルＦ３に存在しない場合には（ステップＳ２３のＮ）、エラー報知を実行する（ステップＳ２７）。エラー報知としては、例えば責任者コードが間違っている旨を表示した画面をディスプレイ８に表示することにより行われる。
【００３５】
当該責任者コードが責任者別販売データファイルＦ３に存在している場合には（ステップＳ２３のＹ）、責任者別販売データファイルＦ３の全てのサインオンフラグエリア４４に「０」が設定されているか否かを調べる（ステップＳ２４）。サインオンフラグエリア４４の中に「１」が設定されているものが有る場合には、サインオン中であるので、エラー報知を実行する。このときのエラー報知としては、例えばサインオン中である旨を表示した画面をディスプレイ８に表示することにより行われる。
【００３６】
当該責任者コードが責任者別販売データファイルＦ３に存在し（ステップＳ２３のＹ）、全てのサインオンフラグエリア４４に「０」が設定されている場合には（ステップＳ２４のＹ）、責任者別販売データファイルＦ３における当該責任者コードのサインオンフラグエリア４４に「１」を設定する（ステップＳ２５）。これにより、当該責任者コードによるサインオンが完了する。ここに、入力装置を介して入力された責任者コードに基づいて責任者登録をする手段の機能が実行される。そして、サインオンが完了した旨を示すサインオン完了画面をディスプレイ８に表示させる（ステップＳ２６）。
【００３７】
次に、販売データの管理を曜日別に行う設定となっている場合のサインオン処理を図１０に基づいて説明する。図１０は曜日別管理の場合のサインオン処理の流れを示すフローチャートである。
【００３８】
まず、起動後、登録モードに設定されたときに、現在の曜日でサインオンを実行する（ステップＳ３１）。具体的には、責任者別販売データファイルＦ３において、この時点での曜日に対応する責任者のサインオンフラグエリア４４に「１」を設定し、他の責任者のサインオンフラグエリア４４に「０」を設定する。曜日の取得は、タイマＴを参照することにより行われる。同時に、ＲＡＭ１７に形成されている曜日テーブルＴ１の前回曜日エリア３１と現在日付曜日エリア３２との両方に現在曜日を記憶させる。
【００３９】
その後、前述した売上処理が実行されていないときにサインオン曜日の更新処理を行う。具体的には、売上処理がなされていないときに（ステップＳ３２のＮ）、ＲＡＭ１７の曜日テーブルＴ１に記憶されている現在曜日と前回曜日とを読み込む（ステップＳ３３）。
【００４０】
読み込んだ現在曜日と前回曜日とを比較して曜日が変わったか否かを判定する（ステップＳ３４）。曜日に変更が無い場合には（ステップＳ３４のＮ）、ステップＳ３２へ戻る。
【００４１】
ステップＳ３４で曜日に変更があったと判定して場合には（ステップＳ３４のＹ）、サインオンしている曜日を現在の曜日に変更する（ステップＳ３５）。詳しくは、責任者別販売データファイルＦ３において、前回曜日に対応する責任者のサインオンフラグエリア４４の設定を「１」から「０」に変更し、現在の曜日に対応する責任者のサインオンフラグエリア４４に「１」を設定する。これにより、現在の曜日でのサインオンがなされる。そして、前回曜日エリア３１に現在の曜日を記憶させる。以上のステップＳ３２からステップＳ３５の処理を登録モードが終了（ステップＳ３６のＹ）するまでの間繰り返し実行する。
【００４２】
次に、図６に示す商品販売データ処理について詳しく説明する。ステップＳ１の売上処理を説明する。キャッシャによる商品コードのスキャン操作によって、商品に付された商品コードがコードスキャナ１０により読み取り入力された場合には、読み取った商品コードに基づいてＲＡＭ１７に展開された商品マスタファイルＦ１を検索し、該当する商品コードに対応した商品名や単価等を読み出す。そして、キーボード４を介して入力された数量や、読み取られた商品コード及び検索した商品名や単価等に基づいて売上登録した売上登録データを取引明細としてＲＡＭ１７の売上バッファに一時的に記憶した後、当該売上登録データの部門別登録やディスプレイ８及び客側表示ユニット９への表示等を行う（売上登録処理）。全ての売り上げ商品についての売上登録が終了した後、締め処理を実行する。締め処理は、小計金額、消費税額、合計金額、預り金額、釣り銭額で構成される会計金額を取引明細としてＲＡＭ１７の売上バッファに一時的に記憶するとともにプリンタ２５による印字出力やドロワ２の引出し２ａの開放を行った後、取引明細（売上登録した売上登録データ及び会計金額）を記憶装置１８にジャーナルデータとして記憶する等の処理である。
【００４３】
ステップＳ２における販売データ管理処理では、責任者別販売データファイルＦ３において、当該売上処理に対してサインオンしている責任者（曜日）に対して、売上処理で登録した商品の売上金額、売上点数を累計記憶させ、同時に、客数に１を加算する。よって、販売データの管理対象が責任者に設定されている場合には、責任者別販売データファイルＦ３において、責任者別に販売データが累計記憶される。ここに、管理対象として責任者が設定されている場合、責任者登録された責任者コードに対応させて販売データを責任者別販売データ記憶領域に記憶させる手段の機能が実行される。これに対して、販売データの管理対象が曜日に設定されている場合には、責任者別販売データファイルＦ３において、曜日別に販売データが累計記憶される。ここに、管理対象として曜日が設定されている場合、責任者コードに曜日を割り当てて、責任者別販売データ記憶領域に曜日別に販売データを記憶させる手段の機能が実行される。
【００４４】
次に、このようにして責任者別販売データファイルＦ３に記憶管理している販売データのレポート出力処理を図１１ないし図１３に基づいて説明する。この販売データレポート出力処理は、精算モードにおいて実行される。ここで、図１１は販売データレポート出力処理の流れを示すフローチャート、図１２は責任者別レポートＲ１を示す正面図、図１３は曜日別レポートＲ２を示す正面図である。
【００４５】
まず、操作者によるキーボード４のレポートキーの押下が有った場合には（ステップＳ４１）、管理対象設定テーブルＴ２を参照して販売データの管理対象が責任者であるか、曜日であるかを判断する（ステップＳ４２）。
【００４６】
管理対象が責任者である場合には（ステップＳ４２のＹ）、責任者別販売データファイルＦ３に記憶されている内容を責任者用の書式に従ってプリンタ２５によって印字した責任者別レポートＲ１（図１２参照）をレシート発行口６から発行する（ステップＳ４３）。ここに、責任者別販売データ記憶領域に記憶されている販売データを可視化して出力する手段の機能が実行される。
【００４７】
一方、管理対象が曜日である場合には（ステップＳ４２のＮ）、責任者別販売データファイルＦ３に記憶されている内容を曜日用の書式に従ってプリンタ２５によって印字した曜日別レポートＲ２（図１３）をレシート発行口６から発行する（ステップＳ４４）。ここに、責任者別販売データ記憶領域に記憶されている販売データを可視化して出力する手段の機能が実行される。
【００４８】
以上説明したように、本実施の形態にいては、売上処理おける販売データの管理対象が責任者に設定されている場合には、責任者別販売データファイルＦ３において、責任者別に販売データが累計記憶され、売上処理おける販売データの管理対象が曜日に設定されている場合には、責任者別販売データファイルＦ３において、曜日別に販売データが累計記憶される。このように販売データ管理の対象を選択できるので、例えば個人商店などで、責任者別の販売データの管理を必要としない場合には、曜日別の販売データ管理を設定することにより、曜日別に販売データの管理ができる。このとき、曜日別の販売データ管理にも責任者別販売データファイルＦ３が使用されるので、責任者別管理を行わない場合であっても、責任者別販売データ記憶領域である責任者別販売データファイルＦ３を有効に利用することができる。
【００４９】
また、このような処理を実行させるプログラムは、従来の責任者別のみの販売データ管理をするプログラムに対して、一部を変更・追加することにより実現できるので、プログラム作成時間の短縮化が図られる。
【００５０】
また、販売データの管理対象として曜日を設定した場合、曜日が変わる毎にサインオン曜日が自動で更新されるので、操作者にとって楽である。
【００５１】
また、本実施の形態においては、責任者別販売データファイルＦ３に記憶されている販売データを可視化して出力する手段を備えていることにより、販売データを容易に確認することができる。
【００５２】
また、本実施の形態においては、販売データを管理する曜日を選択的に設定する手段を備えていることにより、日曜〜土曜の全ての曜日を管理対象としたり、ある曜日だけを管理対象としたりすることが選択的にできる。
【００５３】
なお、本実施の形態では、コンピュータプログラムをＨＤＤ等の記憶装置１８に格納するようにしたが、これに限るものではなく、フレキシブルディスク、磁気テープ等のような磁気的な記憶媒体、ＭＯのような光磁気的な記憶媒体、ＣＤ、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＡＭ、ＤＶＤ−ＲＷ、ＤＶＤ＋ＲＷ等のような光学的な記憶媒体、半導体メモリ等の各種方式のメディアを記憶媒体として用いるようにしても良い。なお、ＣＤ−ＲＯＭやＤＶＤ−ＲＯＭなどの各種の光学的な記憶媒体、各種の光磁気的な記憶媒体、フレキシブルディスクなどの各種の磁気的な記憶媒体等は、ＥＣＲ１に固定的に設けられておらず、単体で取り扱える交換自在な記憶媒体としての形態を備え、各メディアに適応した各種プログラム読取装置（ＣＤ−ＲＯＭドライブ等）を用いてプログラムを読み出すことで各種処理が可能になる。
【００５４】
また、本実施の形態においては、商品販売データ処理装置としてＥＣＲ１を例に説明したが、これに限るものではなく、商品販売データ処理装置としては、ＰＯＳ端末であってもよい。
【図面の簡単な説明】
【００５５】
【図１】本発明の一実施の形態のＥＣＲを示す外観斜視図である。
【図２】ＥＣＲが備える各部の電気的接続を示すブロック図である。
【図３】ＲＡＭの曜日テーブルを説明するための説明図である。
【図４】責任者別販売データファイルを説明するための説明図である。
【図５】管理対象設定テーブルを説明するための説明図である。
【図６】商品販売データ処理の流れを示すフローチャートである。
【図７】販売データ管理対象設定処理の流れを示すフローチャートである。
【図８】システムオプション設定画面を示す正面図である。
【図９】責任者別管理の場合のサインオン処理の流れを示すフローチャートである。
【図１０】曜日別管理の場合のサインオン処理の流れを示すフローチャートである。
【図１１】販売データレポート出力処理の流れを示すフローチャートである。
【図１２】責任者別レポートを示す正面図である。
【図１３】曜日別レポートを示す正面図である。
【符号の説明】
【００５６】
１…ＥＣＲ（商品販売データ処理装置）、４…キーボード（入力装置）、１８…記憶装置（記憶媒体）、Ｆ３…責任者別販売データファイル（責任者別販売データ記憶領域）、Ｔ…タイマ（曜日管理手段）
【図１】
2006031514.tif 000003
【図２】
2006031514.tif 000004
【図３】
2006031514.tif 000005
【図４】
2006031514.tif 000006
【図５】
2006031514.tif 000007
【図６】
2006031514.tif 000008
【図７】
2006031514.tif 000009
【図８】
2006031514.tif 000010
【図９】
2006031514.tif 000011
【図１０】
2006031514.tif 000012
【図１１】
2006031514.tif 000013
【図１２】
2006031514.tif 000014
【図１３】
2006031514.tif 000015